(57)【特許請求の範囲】
【請求項１】
複数のカバー部材を入れ子状に組み合わせて前後方向に伸縮可能に構成されたテレスコピックカバーであって、前記カバー部材は、カバー本体と、前記カバー本体において、テレスコピックカバーの前後方向の一端部に形成された端壁部とを備え、隣接する前記端壁部のうちの一方の端壁部に、水平方向に回動可能な左右一対の回動アームが取り付けられ、テレスコピックカバー収縮状態で隣接するカバー本体の端壁部間に、前記左右一対の回動アームがアーム先端側を左右方向中央側に向けた初期姿勢で配されるとともに、左右一対の第１引張バネが配され、前記左右一対の第１引張バネは、左右方向中央側の端部がそれぞれ左右方向同じ側に配された前記回動アームの先端部に接続され、左右方向外側の端部が他方の端壁部に接続されたテレスコピックカバー。
【請求項２】
前記回動アームの先端側が前後方向に回動したときに、前記回動アームを初期姿勢に戻す復元力を供する弾性部材が設けられた請求項１に記載のテレスコピックカバー。
【請求項３】
前記回動アームは、先端部に前記第１引張バネが接続されるアーム部と、前記アーム部の中間に設けられた軸部とを備え、テレスコピックカバー収縮状態で隣接するカバー本体の端壁部間に、前記弾性部材として左右一対の第２引張バネが配され、前記左右一対の第２引張バネは、左右方向中央側の端部がそれぞれ左右方向同じ側に配された前記アーム部の後端部に接続され、左右方向外側の端部が前記一方の端壁部に接続された請求項２に記載のテレスコピックカバー。
【請求項４】
前記回動アームは、前記アーム部先端から前記軸部までの距離をＸとし、前記アーム部後端から前記軸部までの距離をＹとしたときに、Ｘ＞Ｙの関係を満たす請求項３に記載のテレスコピックカバー。
【発明の詳細な説明】
【技術分野】
【０００１】
本発明は、工作機械の移動に伴って伸縮することにより工作機械の摺動面等を金属粉、塵埃等から保護するテレスコピックカバーに関する。
【背景技術】
【０００２】
従来、工作機械の摺動面や主軸、内部装置を切粉や塵埃等から保護するためにテレスコピックカバーが用いられている。テレスコピックカバーは、順次大きさの異なる複数のカバー部材を入れ子状に組合せて構成される。テレスコピックカバーの伸長時及び収縮時には、隣接するカバー部材が衝突することで、騒音が発生したり、カバー部材の破損等の問題が生じていた。特に、近年の工作機械の高速化に伴い、上記問題が顕著化していた。
【０００３】
このような問題を解決するため、出願人は先の出願（特許文献１）において、テレスコピックカバー収縮状態で隣接するカバー本体の端壁部間に、左右一対の引張バネが配され、前記一対の引張バネは、左右方向中央側の端部が隣接する端壁部のうちの一方の端壁部に接続され、左右方向外側の端部が他方の端壁部又は接続された構成のテレスコピックカバーを提案した。これにより、構造が簡易でかつ装置が大型化することなく、カバー部材の衝突音及び破損の発生を抑制することが可能となる。
【先行技術文献】
【特許文献】
【０００４】
【特許文献１】特許第６７９８７４２号公報
【発明の概要】
【発明が解決しようとする課題】
【０００５】
しかし、上記構成のテレスコピックカバーにおいては、テレスコピックカバー収縮状態で隣接するカバー本体の端壁部間に、左右一対の引張バネを配置している。したがって、テレスコカバー伸縮時におけるカバー本体の前後方向への移動ストローク（以下、「移動ストローク」と略する。）を大きくしようとすると、引張バネを長くする必要があり、引いてはカバー本体の左右幅を大きくする必要があった。
【０００６】
これは、いいかえれば、移動ストロークを大きくするためには、それに合わせてカバー本体の左右幅も大きくすることが必要とされる。ところが、テレスコカバーの設置場所によっては、カバー本体の左右幅を大きくとれない場合があり、移動ストロークを維持しつつ、カバー本体の左右幅をよりコンパクト化することが求められていた。
【０００７】
そこで、本発明では、上記問題に鑑み、左右一対の引張バネを用いてカバー部材の衝突音及び破損の発生を抑制するとともに、移動ストロークを維持しながらカバー本体の左右幅をよりコンパクト化することが可能なテレスコピックカバーを提供することを目的とする。
【課題を解決するための手段】
【０００８】
上記目的を達成するために、本発明の一態様として、複数のカバー部材を入れ子状に組み合わせて前後方向に伸縮可能に構成されたテレスコピックカバーであって、前記カバー部材は、カバー本体と、前記カバー本体において、テレスコピックカバーの前後方向の一端部に形成された端壁部とを備え、隣接する前記端壁部のうちの一方の端壁部に、水平方向に回動可能な左右一対の回動アームが取り付けられ、テレスコピックカバー収縮状態で隣接するカバー本体の端壁部間に、前記左右一対の回動アームがアーム先端側を左右方向中央側に向けた初期姿勢で配されるとともに、左右一対の第１引張バネが配され、前記左右一対の第１引張バネは、左右方向中央側の端部がそれぞれ左右方向同じ側に配された前記回動アームの先端部に接続され、左右方向外側の端部が他方の端壁部に接続されたテレスコピックカバーが提供される。
【０００９】
前記回動アームの先端側が前後方向に回動したときに、前記回動アームを初期姿勢に戻す復元力を供する弾性部材が設けられた構成としてもよい。
【００１０】
前記回動アームは、先端部に前記第１引張バネが接続されるアーム部と、前記アーム部の中間に設けられた軸部とを備え、テレスコピックカバー収縮状態で隣接するカバー本体の端壁部間に、前記弾性部材として左右一対の第２引張バネが配され、前記左右一対の第２引張バネは、左右方向中央側の端部がそれぞれ左右方向同じ側に配された前記アーム部の後端部に接続され、左右方向外側の端部が前記一方の端壁部に接続された構成としてもよい。
【００１１】
前記回動アームは、前記アーム部の先端から前記軸部までの距離をＸとし、前記アーム部の後端から前記軸部までの距離をＹとしたときに、Ｘ＞Ｙの関係を満たす構成としてもよい。
【発明の効果】
【００１２】
本発明の一態様によれば、回動アームを接続した第１引張バネを折り畳むようにして、テレスコピックカバー収縮状態で隣接するカバー本体の端壁部間に配置したため、テレスコピックカバー伸長時において回動アームが前後方向に回動する分移動ストロークを大きくすることが可能となる。したがって、左右一対の引張バネを用いてカバー部材の衝突音及び破損の発生を抑制するとともに、移動ストロークを維持しながらカバー本体の左右幅をよりコンパクト化することが可能となる。
【図面の簡単な説明】
【００１３】
【図１】本実施形態のテレスコピックカバーの伸長状態を示す平面図
【図２】図１のテレスコピックカバーが半ば収縮した状態を示す平面図
【図３】図１のテレスコピックカバーが収縮した状態を示す平面図
【図４】図２のＡ−Ａ断面一部拡大図
【図５】図４の背面図
【図６】図５のユニットを示す拡大図
【図７】本実施形態のテレスコピックカバーの変形例を示す背面図
【図８】本実施形態のテレスコピックカバーの別の変形例を示す背面図
【発明を実施するための形態】
【００１４】
以下、本発明の実施形態について図面を基に説明する。図１は本実施形態におけるテレスコピックカバーが伸長した状態を示す平面図であり、図２はテレスコピックカバーが半ば伸長した状態を示す平面図であり、図３は図２のＡ−Ａ断面図であり、図４はテレスコピックカバーが収縮した状態を示す平面図である。なお、図１、図２および図４は、各カバー部材の天板部を取り除いた状態を示している。図５は図４の背面図である。
【００１５】
図示のごとく、本実施形態のテレスコピックカバーは、順次大きさの異なる複数のカバー部材１ａ〜１ｃ（以下、カバー部材全般に関して記述する場合は、「カバー部材１」として記載する。）を組み合わせて入れ子状に組み合わせて前後方向Ｘに伸縮可能に構成される。図中、Ｘ１は前方向をＸ２は後方向を示す。
【００１６】
カバー部材１は、カバー本体２と、カバー本体２においてテレスコピックカバーの前後方向Ｘの一端部に形成された端壁部４とを備える。本実施形態では、最も大きいカバー部材１ａが前側に配されており、カバー部材１の前端部に端壁部４が形成される。カバー本体２は、天板部２ａと天板部２ａの左右方向Ｙの両端部から下方に延びる側壁部２ｂ，２ｂとを有する。
【００１７】
本実施形態では最も小さいカバー部材１ｃが図示しない工作機械本体に固定され、最も大きいカバー部材１ａが図示しない工作機械の移動部に接続される。そして、カバー部材１ａ〜１ｃが工作機械の移動部とともに図示しない工作機械の摺動面や主軸を覆うように前後方向Ｘに往復動する。これにより、テレスコピックカバーの伸縮をスムーズに行うことができる。
【００１８】
隣接する端壁部４，４の一方にはストッパー５が設けられ、テレスコピックカバー収縮時に、ストッパー５が他方の端壁部４に当接し、隣接するカバー本体１，１の端壁部４，４間に一定のスペースＳが形成される。スペースＳ内に一対の第１引張バネ６，６が左右対称位置に配される。第１引張バネ６としては、テレスコピックカバーの伸縮範囲で弾性変形するものであれば特に制限なく使用することができる。具体的には、コイルバネや紐状ないし帯状のゴム状弾性体を使用することができる。ただ、耐久性の点からコイルバネを使用するのが好ましい。以下、本実施形態では、第１引張バネ６としてコイルバネを使用した態様について説明する。
【００１９】
左右一対の第１引張バネ６，６は、左右方向Ｙ中央側に位置する端部（以下、中央側端部と略する）６ａが隣接する端壁部４，４のうちの一方の端壁部４に接続され、左右方向Ｙ外側に位置する端部（以下、外側端部と略する）６ｂが他方の端壁部４に接続される。本実施形態では、隣接する端壁部４，４のうち、後側（Ｘ２側）の端壁部４に中央側端部６ａ，６ａが接続され、前側（Ｘ１側）の端壁部４に外側端部６ｂ，６ｂが接続される。他方（前側）の端壁部４には左右対称位置に一対の第１支持部７，７が後方に向けて突出形成され、第１支持部７，７に外側端部６ｂがそれぞれ接続される。
【００２０】
第１引張バネ６の中央側端部６ａは、回動アーム８を介して一方（後側）の端壁部４に接続される。回動アーム８は、一方（後側）の端壁部４から前方に突出形成された左右一対の第２支持部９，９まわりに水平方向に回動可能に設けられる。回動アーム８は、テレスコピックカバー収縮状態において、スペースＳ内に回動アーム８の先端側を左右方向Ｙ中央側に向けた初期姿勢で収容される。そして、回動アーム８の先端側が前後方向Ｘに回動したときに、回動アームを初期姿勢に戻す復元力を供する弾性部材を備える。
【００２１】
本実施形態では、回動アーム８は、先端部に第１引張バネ６が接続されるアーム部１１と、アーム部１１の中間に設けられた軸部１２とを備える。軸部１２は、第２支持部９に取り付けられる。テレスコピックカバー収縮状態において、スペースＳ内に、弾性部材として左右対称位置に一対の第２引張バネ１３，１３が配される。
【００２２】
左右一対の第２引張バネ１３，１３は、左右方向中央側の端部がそれぞれ左右方向同じ側に配された回動アーム８，８の後端部に接続され、左右方向外側の端部が一方（後側）の端壁部４から前方に突出形成された第３支持部１４に接続される。第３支持部１４は、端壁部４の左右に一対形成され、それぞれ左右同じ側に配された第２引張バネ１３の左右方向外側の端部が接続される。
【００２３】
第２引張バネ１３としては、回動アーム８の回動する範囲で弾性変形するものであれば特に制限なく使用することができる。具体的には、コイルバネや紐状ないし帯状のゴム状弾性体を使用することができる。ただ、耐久性の点からコイルバネを使用するのが好ましい。以下、本実施形態では、第２引張バネとしてコイルバネを使用している。
【００２４】
上記構成によれば、テレスコピックカバーが伸長する際には、隣接するカバー部材１，１のうち前側（Ｘ１側）のカバー部材１の移動に応じて第１引張バネ６，６が伸長する。その際に第１引張バネ６，６に生じる引張力によって回動アーム８，８が回動する。回動アーム８，８が回動するに従い、弾性部材である第２引張バネ１３，１３が伸長し、回動アーム８，８を初期姿勢に戻す復元力が作用する。
【００２５】
すなわち、第１引張バネ６の引張力と第２引張バネ１３の復元力がつり合う位置まで回動アーム８が回動する。テレスコカバー収縮時には、第１引張バネ６及び第２引張バネ１３が収縮することで、各カバー部材１ａおよび１ｂはＸ２方向に移動しつつ、回動アーム８が回動して初期姿勢に戻り、テレスコピックカバーは収縮状態に復帰する。上述のごとく、本発明においては、第１引張バネ６の長さが短くても回動アーム８の回動により移動ストロークを大きくすることが可能となる。いいかえれば、移動ストロークに対するカバー部材の左右方向Ｙの幅を小さくすることができる。
【００２６】
また、回動アーム８はカバー部材１の左右のふらつき（がたつき）を抑える機能も有している。すなわち、左右の第１引張バネ６，６のバネ荷重にばらつきがあって、回動アーム８にかかる左右の引張力にばらつきがある場合には、回動アーム８が軸部１２まわりに回動する回動度合いがそのばらつきに応じて変動し、それにより左右の引張力のばらつきを吸収することができる。これにより、カバー部材１の左右のふらつき（がたつき）を抑え、各カバー部材１ａ〜１ｃをスムーズに移動させることが可能となる。
【００２７】
回動アーム８は、アーム部１１先端から軸部１２までの距離をＸとし、アーム部１１後端から軸部１２までの距離をＹとしたときに、Ｘ＞Ｙの関係を満たすようにするのが好ましい。回動アーム８がＸ＞Ｙの関係を満たす場合、第１引張バネ６及び第２引張バネ１３として同じ材質で同じ形状（線径、コイル径、ピッチ等）のバネを使用すると、第１引張バネ６の長さ＞第２引張バネ１３の長さとなる。これにより、スペースＳ内における第２引張バネ１３の省スペース化を図ることができる。
【００２８】
図６は、図５における第１引張バネ６、回動アーム８及び第２引張バネ１３からなるユニット１５を示す拡大図である。図示のごとく、回動アーム８の先端部には上方に突出する第１係止部１６が形成され、回動アーム８の後端部には下方に突出する第２係止部１７が形成される。そして、第１係止部１６には第１引張バネ６が接続され、第２係止部１７には第２引張バネ１３が接続される。これにより、第１引張バネ６と第２引張バネ１３はスペースＳ内において互いに干渉することなく、上側の空間と下側の空間とに分けて収容することが可能となる。
【００２９】
本発明のテレスコピックカバーにおいては、上記ユニット１５が左右それぞれ独立して設けられる。したがって、図７に示すように、ユニット１５，１５をカバー部材１の左右方向外側に寄せて配置し、中央部分のスペースを大きくとることができる。これにより、モーター等の被収容物Ｂとの接触を回避しつつカバー部材の高さをよりコンパクト化することが可能となる。
【００３０】
以上、本発明の実施形態につき説明したが、本発明の範囲はこれに限定されるものではなく、発明の趣旨を逸脱しない範囲で種々の変更を加えて実施することができる。たとえば、本実施形態ではテレスコピックカバーは、大きさの異なる３つのカバー部材１ａ，１ｂ及び１ｃから構成しているが、４つ以上のカバー部材から構成してもよいことは勿論である。
【００３１】
また、端壁部４は連続する板状形状とされているが、端壁部４としては、第１引張バネ６、第２引張バネ１３及び回動アーム８を収容可能でストッパー５を支持可能であれば特に形状は限定されず、不連続に形成したり、図７に示すように左右方向Ｙに端壁部４の高さ（天板部２ａから端壁部４下端までの高さ）を変化させて形成することも可能である。
【００３２】
本実施形態では、回動アーム８は、軸部１２の前後方向にアーム部１１が延設され、アーム後端部に弾性部材として第２引張バネ１３が接続された態様について説明したが、これに限らず、たとえば、軸部１２を基端部として前方にのみアーム部１１を形成するようにしてもよい。この場合、アーム部１１と端壁部４との間に弾性部材としてねじりコイルバネを介装し、回動アームの回動度合いに応じてねじりコイルバネに復元力が生じるようにしてもよい。
【００３３】
また、本実施形態では、カバー部材１ｃが工作機械本体に固定され、カバー部材１ａが工作機械の移動部に接続されているが、これに限らず、カバー部材１ａが工作機械本体に固定され、カバー部材１ｃが工作機械の移動部に接続されていてもよい。カバー部材１ｃが前側に配される場合は、カバー部材１の後端部に端壁部４が形成される。この場合も、隣接する端壁部４，４のうち、後側（Ｘ２側）の端壁部４に中央側端部６ａ，６ａを接続し、前側（Ｘ１側）の端壁部４に外側端部６ｂ，６ｂを接続することにより、テレスコピックカバーをスムーズに伸縮させることが可能となる。
【００３４】
また、本実施形態では、カバー部材１は門型で天板部が平面状に形成されているが、これに限らずアーチ型、山形、片側傾斜型等の種々の形状とすることが可能である。たとえば、図８は山形形状のカバー部材からなるテレスコピックカバーの背面図を示す。図示のごとく、左右のユニット１５，１５が独立して端壁部４に取り付けられるため、端壁部４をカバー部材の天板部の形状に合わせて傾斜して形成し、その端壁部４の形状に合わせて左右のユニット１５，１５を配置することが可能となる。これにより、カバー部材１内の空間を被収容物Ｂの収容スペースとして有効に利用することができる。
【００３５】
本実施形態及び上記変形例に開示されている構成要件は互いに組合せ可能であり、組合せることにより、新しい技術的特徴を形成することができる。
【符号の説明】
【００３６】
１            カバー部材
２            カバー本体
２ａ          天板部
２ｂ          側壁部
４            端壁部
５            ストッパー
６            第１引張バネ
６ａ          第１引張バネ中央側端部
６ｂ          第１引張バネ外側端部
７            第１支持部
８            回動アーム
９            第２支持部
１１            アーム部
１２            軸部
１３            第２引張バネ
１４            第３支持部
１５            ユニット
１６            第１係止部
１７            第２係止部
【要約】
【課題】左右一対の引張バネを用いてつつ、移動ストロークを維持しながらカバー本体の左右幅をよりコンパクト化することが可能なテレスコピックカバーを提供することを目的とする。
【解決手段】複数のカバー部材１ａ〜１ｃを入れ子状に組み合わせて前後方向Ｘに伸縮可能に構成されたテレスコピックカバーであって、カバー部材１は、カバー本体２と、カバー本体２において、テレスコピックカバーの前後方向Ｘの一端部に形成された端壁部４とを備え、隣接する端壁部４，４のうちの一方の端壁部４に、左右一対の回動アーム８，８が取り付けられ、テレスコピックカバー収縮状態で隣接するカバー本体２の端壁部４，４間に、左右一対の回動アーム８，８が配されるとともに、左右一対の第１引張バネ６，６が配され、第１引張バネ６，６は、左右方向中央側端部が回動アーム８の先端部に接続され、外側端部が他方の端壁部４に接続された構成とする。
【選択図】図１【図１】
0006969833.tif 000002
【図２】
0006969833.tif 000003
【図３】
0006969833.tif 000004
【図４】
0006969833.tif 000005
【図５】
0006969833.tif 000006
【図６】
0006969833.tif 000007
【図７】
0006969833.tif 000008
【図８】
0006969833.tif 000009